(57)【特許請求の範囲】
【請求項１】
異なる通信プロトコルに従った複数の通信網間のデータの通信を中継するメディア・ゲートウェイ装置と、
呼制御を行うとともに、前記メディア・ゲートウェイ装置を制御するメディア・ゲートウェイ制御装置と、
を備えるメディア・ゲートウェイ・システムであって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御装置は、前記第１の通信リソースを管理するための第１の通信リソース管理情報を記憶する第１の通信リソース管理情報記憶手段を備え、
前記メディア・ゲートウェイ装置は、前記第２の通信リソースを管理するための第２の通信リソース管理情報を記憶する第２の通信リソース管理情報記憶手段を備え、
前記メディア・ゲートウェイ制御装置は、
通信の開始を要求し且つ当該通信に用いられる通信プロトコルを表す発呼信号を受信する発呼信号受信手段と、
前記受信された発呼信号が表す通信プロトコルが前記第１の通信プロトコルである場合、前記記憶されている第１の通信リソース管理情報に基づいて、当該発呼信号が開始を要求する通信である発呼対象通信に、前記第１の通信リソースを割り当てる第１の通信リソース割当手段と、
前記受信された発呼信号が表す通信プロトコルが前記第２の通信プロトコルである場合、前記発呼対象通信に前記第２の通信リソースを割り当てる旨を前記メディア・ゲートウェイ装置に要求する第２の通信リソース割当要求手段と、
を備え、
前記メディア・ゲートウェイ装置は、
前記メディア・ゲートウェイ制御装置により前記第２の通信リソースの割り当てを要求された場合、前記記憶されている第２の通信リソース管理情報に基づいて、前記発呼対象通信に前記第２の通信リソースを割り当てる第２の通信リソース割当手段を備えるメディア・ゲートウェイ・システム。
【請求項２】
請求項１に記載のメディア・ゲートウェイ・システムであって、
前記第１の通信リソース割当手段は、
前記受信された発呼信号が表す通信プロトコルが前記第１の通信プロトコルである場合、前記発呼対象通信に割り当てられた前記第１の通信リソースを特定するための第１の通信リソース特定情報を含み、且つ、当該発呼対象通信の通信路を確保するための設定を要求する旨を表す通信路設定要求を前記メディア・ゲートウェイ装置へ送信するように構成され、
前記第２の通信リソース割当要求手段は、
前記受信された発呼信号が表す通信プロトコルが前記第２の通信プロトコルである場合、前記発呼対象通信に前記第２の通信リソースを割り当てる旨を前記メディア・ゲートウェイ装置に要求する旨を表す割当要求情報を含み、且つ、当該発呼対象通信の通信路を確保するための設定を要求する旨を表す通信路設定要求を前記メディア・ゲートウェイ装置へ送信するように構成され、
前記第２の通信リソース割当手段は、
前記通信路設定要求を受信し、当該受信された通信路設定要求に前記割当要求情報が含まれている場合、前記記憶されている第２の通信リソース管理情報に基づいて、前記発呼対象通信に前記第２の通信リソースを割り当てるとともに、当該割り当てられた第２の通信リソースを特定するための第２の通信リソース特定情報を前記メディア・ゲートウェイ制御装置へ送信するように構成されたメディア・ゲートウェイ・システム。
【請求項３】
請求項１又は請求項２に記載のメディア・ゲートウェイ・システムであって、
前記メディア・ゲートウェイ制御装置は、
前記発呼対象通信に割り当てられた通信リソースを特定するためのローカル通信リソース特定情報を、当該発呼対象通信に係る前記発呼信号を送信してきた通信装置である発呼信号送信装置へ送信するローカル通信リソース特定情報送信手段と、
前記発呼信号送信装置から、当該発呼信号送信装置が前記発呼対象通信を行うために用いる通信リソースを特定するためのリモート通信リソース特定情報を受信するリモート通信リソース特定情報受信手段と、
前記受信されたリモート通信リソース特定情報を含み、且つ、前記発呼対象通信の通信路を確保するための設定を要求する旨を表す通信路設定要求を前記メディア・ゲートウェイ装置へ送信する通信路設定要求送信手段と、
を備えるメディア・ゲートウェイ・システム。
【請求項４】
請求項１乃至請求項３のいずれか一項に記載のメディア・ゲートウェイ・システムであって、
前記第１の通信プロトコルは、ＡＴＭ（Ａｓｙｎｃｈｒｏｎｏｕｓ  Ｔｒａｎｓｆｅｒ  Ｍｏｄｅ）であり、
前記第２の通信プロトコルは、ＲＴＰ（Ｒｅａｌ−ｔｉｍｅ  Ｔｒａｎｓｐｏｒｔ  Ｐｒｏｔｏｃｏｌ）であるメディア・ゲートウェイ・システム。
【請求項５】
請求項１乃至請求項４のいずれか一項に記載のメディア・ゲートウェイ・システムであって、
前記メディア・ゲートウェイ装置と、前記メディア・ゲートウェイ制御装置と、の間の通信は、Ｍｅｇａｃｏに従った通信であるメディア・ゲートウェイ・システム。
【請求項６】
異なる通信プロトコルに従った複数の通信網間のデータの通信を中継するメディア・ゲートウェイ装置と、
呼制御を行うとともに、前記メディア・ゲートウェイ装置を制御するメディア・ゲートウェイ制御装置と、
を備えるメディア・ゲートウェイ・システムに適用されるメディア・ゲートウェイ制御方法であって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御装置が、前記第１の通信リソースを管理するための第１の通信リソース管理情報を記憶し、
前記メディア・ゲートウェイ装置が、前記第２の通信リソースを管理するための第２の通信リソース管理情報を記憶し、
前記メディア・ゲートウェイ制御装置が、通信の開始を要求し且つ当該通信に用いられる通信プロトコルを表す発呼信号を受信し、
前記受信された発呼信号が表す通信プロトコルが前記第１の通信プロトコルである場合、前記メディア・ゲートウェイ制御装置が、前記記憶されている第１の通信リソース管理情報に基づいて、当該発呼信号が開始を要求する通信である発呼対象通信に、前記第１の通信リソースを割り当て、
前記受信された発呼信号が表す通信プロトコルが前記第２の通信プロトコルである場合、前記メディア・ゲートウェイ制御装置が、前記発呼対象通信に前記第２の通信リソースを割り当てる旨を前記メディア・ゲートウェイ装置に要求し、
前記メディア・ゲートウェイ制御装置により前記第２の通信リソースの割り当てを要求された場合、前記メディア・ゲートウェイ装置が、前記記憶されている第２の通信リソース管理情報に基づいて、前記発呼対象通信に前記第２の通信リソースを割り当てる、メディア・ゲートウェイ制御方法。
【請求項７】
呼制御を行うとともに、異なる通信プロトコルに従った複数の通信網間のデータの通信を中継するメディア・ゲートウェイ装置を制御するメディア・ゲートウェイ制御装置であって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御装置は、
前記第１の通信リソースを管理するための第１の通信リソース管理情報を記憶する第１の通信リソース管理情報記憶手段と、
通信の開始を要求し且つ当該通信に用いられる通信プロトコルを表す発呼信号を受信する発呼信号受信手段と、
前記受信された発呼信号が表す通信プロトコルが前記第１の通信プロトコルである場合、前記記憶されている第１の通信リソース管理情報に基づいて、当該発呼信号が開始を要求する通信である発呼対象通信に、前記第１の通信リソースを割り当てる第１の通信リソース割当手段と、
前記受信された発呼信号が表す通信プロトコルが前記第２の通信プロトコルである場合、前記発呼対象通信に前記第２の通信リソースを割り当てる旨を前記メディア・ゲートウェイ装置に要求する第２の通信リソース割当要求手段と、
を備えるメディア・ゲートウェイ制御装置。
【請求項８】
請求項７に記載のメディア・ゲートウェイ制御装置であって、
前記第１の通信リソース割当手段は、
前記受信された発呼信号が表す通信プロトコルが前記第１の通信プロトコルである場合、前記発呼対象通信に割り当てられた前記第１の通信リソースを特定するための第１の通信リソース特定情報を含み、且つ、当該発呼対象通信の通信路を確保するための設定を要求する旨を表す通信路設定要求を前記メディア・ゲートウェイ装置へ送信するように構成され、
前記第２の通信リソース割当要求手段は、
前記受信された発呼信号が表す通信プロトコルが前記第２の通信プロトコルである場合、前記発呼対象通信に前記第２の通信リソースを割り当てる旨を前記メディア・ゲートウェイ装置に要求する旨を表す割当要求情報を含み、且つ、当該発呼対象通信の通信路を確保するための設定を要求する旨を表す通信路設定要求を前記メディア・ゲートウェイ装置へ送信するように構成されたメディア・ゲートウェイ制御装置。
【請求項９】
呼制御を行うとともに、異なる通信プロトコルに従った複数の通信網間のデータの通信を中継するメディア・ゲートウェイ装置を制御するメディア・ゲートウェイ制御装置に適用されるメディア・ゲートウェイ制御方法であって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御方法は、
前記メディア・ゲートウェイ制御装置が、前記第１の通信リソースを管理するための第１の通信リソース管理情報を記憶し、
前記メディア・ゲートウェイ制御装置が、通信の開始を要求し且つ当該通信に用いられる通信プロトコルを表す発呼信号を受信し、
前記受信された発呼信号が表す通信プロトコルが前記第１の通信プロトコルである場合、前記メディア・ゲートウェイ制御装置が、前記記憶されている第１の通信リソース管理情報に基づいて、当該発呼信号が開始を要求する通信である発呼対象通信に、前記第１の通信リソースを割り当て、
前記受信された発呼信号が表す通信プロトコルが前記第２の通信プロトコルである場合、前記メディア・ゲートウェイ制御装置が、前記発呼対象通信に前記第２の通信リソースを割り当てる旨を前記メディア・ゲートウェイ装置に要求する、メディア・ゲートウェイ制御方法。
【請求項１０】
呼制御を行うとともに、異なる通信プロトコルに従った複数の通信網間のデータの通信を中継するメディア・ゲートウェイ装置を制御するメディア・ゲートウェイ制御装置が実行するメディア・ゲートウェイ制御プログラムであって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御プログラムは、前記メディア・ゲートウェイ制御装置に、
前記第１の通信リソースを管理するための第１の通信リソース管理情報を記憶する第１の通信リソース管理情報記憶手段と、
通信の開始を要求し且つ当該通信に用いられる通信プロトコルを表す発呼信号を受信する発呼信号受信手段と、
前記受信された発呼信号が表す通信プロトコルが前記第１の通信プロトコルである場合、前記記憶されている第１の通信リソース管理情報に基づいて、当該発呼信号が開始を要求する通信である発呼対象通信に、前記第１の通信リソースを割り当てる第１の通信リソース割当手段と、
前記受信された発呼信号が表す通信プロトコルが前記第２の通信プロトコルである場合、前記発呼対象通信に前記第２の通信リソースを割り当てる旨を前記メディア・ゲートウェイ装置に要求する第２の通信リソース割当要求手段と、
を実現させるためのメディア・ゲートウェイ制御プログラム。
【発明の詳細な説明】
【技術分野】
【０００１】
本発明は、異なる通信プロトコルに従った複数の通信網間のデータの通信を中継するメディア・ゲートウェイ・システムに関する。
【背景技術】
【０００２】
異なる通信プロトコルに従った複数の通信網間のデータの通信を中継するメディア・ゲートウェイ装置と、呼制御を行うとともに、メディア・ゲートウェイ装置を制御するメディア・ゲートウェイ制御装置と、を備えるメディア・ゲートウェイ・システムが知られている（例えば、特許文献１を参照）。
【０００３】
メディア・ゲートウェイ制御装置は、メディア・ゲートウェイ装置が備える通信リソースを管理するための通信リソース管理情報を記憶する。メディア・ゲートウェイ制御装置は、通信の開始を要求し且つ当該通信に用いられる通信プロトコルとしてのＡＴＭ（Ａｓｙｎｃｈｒｏｎｏｕｓ  Ｔｒａｎｓｆｅｒ  Ｍｏｄｅ）を表す発呼信号を通信装置（例えば、基地局装置、又は、サーバ装置等）から受信する。
【０００４】
メディア・ゲートウェイ制御装置は、記憶されている通信リソース管理情報に基づいて、発呼信号が開始を要求する通信（発呼対象通信）に通信リソースを割り当てる。そして、メディア・ゲートウェイ制御装置は、発呼対象通信に割り当てられた通信リソースを特定するための通信リソース特定情報を含み、且つ、当該発呼対象通信の通信路を確保するための設定を要求する旨を表す通信路設定要求をメディア・ゲートウェイ装置へ送信する。
【０００５】
その後、メディア・ゲートウェイ装置は、受信された通信路設定要求に基づいて、通信路を確保（確立）するための処理を実行する。これにより、通信路が確保される。その結果、通信装置とメディア・ゲートウェイ装置との間で、ＡＴＭに従った通信が行われることにより、メディア・ゲートウェイ装置は、例えば、端末装置間のデータの通信を中継する。
【先行技術文献】
【特許文献】
【０００６】
【特許文献１】特開２００９−２０６６７４号公報
【発明の概要】
【発明が解決しようとする課題】
【０００７】
ところで、通信装置とメディア・ゲートウェイ装置との間で、ＲＴＰ（Ｒｅａｌ−ｔｉｍｅ  Ｔｒａｎｓｐｏｒｔ  Ｐｒｏｔｏｃｏｌ）に従った通信が行われる場合が考えられる。
【０００８】
しかしながら、ＲＴＰに従った通信に用いられる通信リソースは、メディア・ゲートウェイ装置によって管理されることが多い。このため、上記メディア・ゲートウェイ・システムにおいては、通信の開始を要求し且つ当該通信に用いられる通信プロトコルとしてのＲＴＰを表す発呼信号をメディア・ゲートウェイ制御装置が受信した場合に、通信路を確保するための処理をＡＴＭの場合と同様に実行しようとしても、適切に実行することができないという問題があった。
【０００９】
このため、本発明の目的は、上述した課題である「通信路を確保するための処理を適切に実行することができない場合が生じること」を解決することが可能なメディア・ゲートウェイ・システムを提供することにある。
【課題を解決するための手段】
【００１０】
かかる目的を達成するため本発明の一形態であるメディア・ゲートウェイ・システムは、
異なる通信プロトコルに従った複数の通信網間のデータの通信を中継するメディア・ゲートウェイ装置と、
呼制御を行うとともに、上記メディア・ゲートウェイ装置を制御するメディア・ゲートウェイ制御装置と、
を備えるシステムである。
【００１１】
更に、
上記メディア・ゲートウェイ装置は、第１の通信プロトコルに従った通信を行うために用いられる第１の通信リソースと、第２の通信プロトコルに従った通信を行うために用いられる第２の通信リソースと、を備え、
上記メディア・ゲートウェイ制御装置は、上記第１の通信リソースを管理するための第１の通信リソース管理情報を記憶する第１の通信リソース管理情報記憶手段を備え、
上記メディア・ゲートウェイ装置は、上記第２の通信リソースを管理するための第２の通信リソース管理情報を記憶する第２の通信リソース管理情報記憶手段を備え、
上記メディア・ゲートウェイ制御装置は、
通信の開始を要求し且つ当該通信に用いられる通信プロトコルを表す発呼信号を受信する発呼信号受信手段と、
上記受信された発呼信号が表す通信プロトコルが上記第１の通信プロトコルである場合、上記記憶されている第１の通信リソース管理情報に基づいて、当該発呼信号が開始を要求する通信である発呼対象通信に、上記第１の通信リソースを割り当てる第１の通信リソース割当手段と、
上記受信された発呼信号が表す通信プロトコルが上記第２の通信プロトコルである場合、上記発呼対象通信に上記第２の通信リソースを割り当てる旨を上記メディア・ゲートウェイ装置に要求する第２の通信リソース割当要求手段と、
を備え、
上記メディア・ゲートウェイ装置は、
上記メディア・ゲートウェイ制御装置により上記第２の通信リソースの割り当てを要求された場合、上記記憶されている第２の通信リソース管理情報に基づいて、上記発呼対象通信に上記第２の通信リソースを割り当てる第２の通信リソース割当手段を備える。
【００１２】
また、本発明の他の形態であるメディア・ゲートウェイ制御方法は、
異なる通信プロトコルに従った複数の通信網間のデータの通信を中継するメディア・ゲートウェイ装置と、
呼制御を行うとともに、上記メディア・ゲートウェイ装置を制御するメディア・ゲートウェイ制御装置と、
を備えるメディア・ゲートウェイ・システムに適用される方法である。
【００１３】
ここで、上記メディア・ゲートウェイ装置は、第１の通信プロトコルに従った通信を行うために用いられる第１の通信リソースと、第２の通信プロトコルに従った通信を行うために用いられる第２の通信リソースと、を備える。
加えて、上記メディア・ゲートウェイ制御方法は、
上記メディア・ゲートウェイ制御装置が、上記第１の通信リソースを管理するための第１の通信リソース管理情報を記憶し、
上記メディア・ゲートウェイ装置が、上記第２の通信リソースを管理するための第２の通信リソース管理情報を記憶し、
上記メディア・ゲートウェイ制御装置が、通信の開始を要求し且つ当該通信に用いられる通信プロトコルを表す発呼信号を受信し、
上記受信された発呼信号が表す通信プロトコルが上記第１の通信プロトコルである場合、上記メディア・ゲートウェイ制御装置が、上記記憶されている第１の通信リソース管理情報に基づいて、当該発呼信号が開始を要求する通信である発呼対象通信に、上記第１の通信リソースを割り当て、
上記受信された発呼信号が表す通信プロトコルが上記第２の通信プロトコルである場合、上記メディア・ゲートウェイ制御装置が、上記発呼対象通信に上記第２の通信リソースを割り当てる旨を上記メディア・ゲートウェイ装置に要求し、
上記メディア・ゲートウェイ制御装置により上記第２の通信リソースの割り当てを要求された場合、上記メディア・ゲートウェイ装置が、上記記憶されている第２の通信リソース管理情報に基づいて、上記発呼対象通信に上記第２の通信リソースを割り当てる方法である。
【００１４】
また、本発明の他の形態であるメディア・ゲートウェイ制御装置は、
呼制御を行うとともに、異なる通信プロトコルに従った複数の通信網間のデータの通信を中継するメディア・ゲートウェイ装置を制御する装置である。
【００１５】
ここで、上記メディア・ゲートウェイ装置は、第１の通信プロトコルに従った通信を行うために用いられる第１の通信リソースと、第２の通信プロトコルに従った通信を行うために用いられる第２の通信リソースと、を備える。
加えて、上記メディア・ゲートウェイ制御装置は、
上記第１の通信リソースを管理するための第１の通信リソース管理情報を記憶する第１の通信リソース管理情報記憶手段と、
通信の開始を要求し且つ当該通信に用いられる通信プロトコルを表す発呼信号を受信する発呼信号受信手段と、
上記受信された発呼信号が表す通信プロトコルが上記第１の通信プロトコルである場合、上記記憶されている第１の通信リソース管理情報に基づいて、当該発呼信号が開始を要求する通信である発呼対象通信に、上記第１の通信リソースを割り当てる第１の通信リソース割当手段と、
上記受信された発呼信号が表す通信プロトコルが上記第２の通信プロトコルである場合、上記発呼対象通信に上記第２の通信リソースを割り当てる旨を上記メディア・ゲートウェイ装置に要求する第２の通信リソース割当要求手段と、
を備える。
【００１６】
また、本発明の他の形態であるメディア・ゲートウェイ制御方法は、
呼制御を行うとともに、異なる通信プロトコルに従った複数の通信網間のデータの通信を中継するメディア・ゲートウェイ装置を制御するメディア・ゲートウェイ制御装置に適用される方法である。
【００１７】
ここで、上記メディア・ゲートウェイ装置は、第１の通信プロトコルに従った通信を行うために用いられる第１の通信リソースと、第２の通信プロトコルに従った通信を行うために用いられる第２の通信リソースと、を備える。
更に、上記メディア・ゲートウェイ制御方法は、
上記メディア・ゲートウェイ制御装置が、上記第１の通信リソースを管理するための第１の通信リソース管理情報を記憶し、
上記メディア・ゲートウェイ制御装置が、通信の開始を要求し且つ当該通信に用いられる通信プロトコルを表す発呼信号を受信し、
上記受信された発呼信号が表す通信プロトコルが上記第１の通信プロトコルである場合、上記メディア・ゲートウェイ制御装置が、上記記憶されている第１の通信リソース管理情報に基づいて、当該発呼信号が開始を要求する通信である発呼対象通信に、上記第１の通信リソースを割り当て、
上記受信された発呼信号が表す通信プロトコルが上記第２の通信プロトコルである場合、上記メディア・ゲートウェイ制御装置が、上記発呼対象通信に上記第２の通信リソースを割り当てる旨を上記メディア・ゲートウェイ装置に要求する方法である。
【００１８】
また、本発明の他の形態であるメディア・ゲートウェイ制御プログラムは、
呼制御を行うとともに、異なる通信プロトコルに従った複数の通信網間のデータの通信を中継するメディア・ゲートウェイ装置を制御するメディア・ゲートウェイ制御装置が実行するプログラムである。
【００１９】
ここで、上記メディア・ゲートウェイ装置は、第１の通信プロトコルに従った通信を行うために用いられる第１の通信リソースと、第２の通信プロトコルに従った通信を行うために用いられる第２の通信リソースと、を備える。
更に、上記メディア・ゲートウェイ制御プログラムは、上記メディア・ゲートウェイ制御装置に、
上記第１の通信リソースを管理するための第１の通信リソース管理情報を記憶する第１の通信リソース管理情報記憶手段と、
通信の開始を要求し且つ当該通信に用いられる通信プロトコルを表す発呼信号を受信する発呼信号受信手段と、
上記受信された発呼信号が表す通信プロトコルが上記第１の通信プロトコルである場合、上記記憶されている第１の通信リソース管理情報に基づいて、当該発呼信号が開始を要求する通信である発呼対象通信に、上記第１の通信リソースを割り当てる第１の通信リソース割当手段と、
上記受信された発呼信号が表す通信プロトコルが上記第２の通信プロトコルである場合、上記発呼対象通信に上記第２の通信リソースを割り当てる旨を上記メディア・ゲートウェイ装置に要求する第２の通信リソース割当要求手段と、
を実現させるためのプログラムである。
【発明の効果】
【００２０】
本発明は、以上のように構成されることにより、通信路を確保するための処理を適切に実行することができる。
【図面の簡単な説明】
【００２１】
【図１】本発明の第１実施形態に係るメディア・ゲートウェイ・システムの概略構成を表す図である。
【図２】本発明の第１実施形態に係るメディア・ゲートウェイ・システムの機能の概略を表すブロック図である。
【図３】本発明の第１実施形態に係るメディア・ゲートウェイ・システムの作動の概略を示したシーケンス図である。
【図４】本発明の第２実施形態に係るメディア・ゲートウェイ・システムの機能の概略を表すブロック図である。
【発明を実施するための形態】
【００２２】
以下、本発明に係る、メディア・ゲートウェイ・システム、メディア・ゲートウェイ制御方法、メディア・ゲートウェイ制御装置、及び、メディア・ゲートウェイ制御プログラム、の各実施形態について図１〜図４を参照しながら説明する。
【００２３】
＜第１実施形態＞
（構成）
図１に示したように、第１実施形態に係るメディア・ゲートウェイ・システム１は、メディア・ゲートウェイ装置（Ｍｅｄｉａ  Ｇａｔｅｗａｙ）１０と、メディア・ゲートウェイ制御装置（メディア・ゲートウェイ・コントローラ、Ｍｅｄｉａ  Ｇａｔｅｗａｙ  Ｃｏｎｔｒｏｌｌｅｒ）２０と、を備える。
【００２４】
メディア・ゲートウェイ・システム１は、第１の通信網ＮＷ１、第２の通信網ＮＷ２、及び、第３の通信網ＮＷ３のそれぞれに接続されている。
【００２５】
本例では、第１の通信網ＮＷ１には、第１の通信プロトコル（本例では、ＡＴＭ（Ａｓｙｎｃｈｒｏｎｏｕｓ  Ｔｒａｎｓｆｅｒ  Ｍｏｄｅ））に従って、音声データ（音声を表すデータ）を通信する基地局装置３１が接続されている。
【００２６】
更に、基地局装置３１には、図示しない端末装置（本例では、移動体通信装置としての携帯電話機）が通信可能に接続されている。基地局装置３１は、メディア・ゲートウェイ・システム１との間で第１の通信プロトコルに従って通信を行うことにより、この端末装置とメディア・ゲートウェイ・システム１との間の音声データの通信を中継する。
【００２７】
また、第２の通信網ＮＷ２には、第２の通信プロトコル（本例では、ＲＴＰ（Ｒｅａｌ−ｔｉｍｅ  Ｔｒａｎｓｐｏｒｔ  Ｐｒｏｔｏｃｏｌ））に従って、音声データを通信するサーバ装置３２が接続されている。
【００２８】
更に、サーバ装置３２には、図示しない端末装置（本例では、移動体通信装置としての携帯電話機）が通信可能に接続されている。サーバ装置３２は、メディア・ゲートウェイ・システム１との間で第２の通信プロトコルに従って通信を行うことにより、この端末装置とメディア・ゲートウェイ・システム１との間の音声データの通信を中継する。
【００２９】
また、第３の通信網ＮＷ３には、第２の通信プロトコル（本例では、ＲＴＰ）に従って、音声データを通信する他のメディア・ゲートウェイ・システム３３が接続されている。
【００３０】
更に、メディア・ゲートウェイ・システム３３には、図示しない端末装置（本例では、移動体通信装置としての携帯電話機）が通信可能に接続されている。メディア・ゲートウェイ・システム３３は、メディア・ゲートウェイ・システム１との間で第２の通信プロトコルに従って通信を行うことにより、この端末装置とメディア・ゲートウェイ・システム１との間の音声データの通信を中継する。
【００３１】
なお、第１の通信網ＮＷ１は、加入者側ＡＴＭ網とも呼ばれる。第２の通信網ＮＷ２は、加入者側ＩＰ（Ｉｎｔｅｒｎｅｔ  Ｐｒｏｔｏｃｏｌ）網とも呼ばれる。第３の通信網ＮＷ３は、コアネットワーク（中継）側ＩＰ網とも呼ばれる。
【００３２】
メディア・ゲートウェイ装置１０は、異なる通信プロトコルに従った複数の通信網（本例では、第１の通信網ＮＷ１及び第３の通信網ＮＷ３、又は、第２の通信網ＮＷ２及び第３の通信網ＮＷ３）間のデータ（本例では、音声データ）の通信を中継する。
【００３３】
メディア・ゲートウェイ装置１０は、図示しない中央処理装置（ＣＰＵ；Ｃｅｎｔｒａｌ  Ｐｒｏｃｅｓｓｉｎｇ  Ｕｎｉｔ）、及び、記憶装置（メモリ及びハードディスク駆動装置（ＨＤＤ；Ｈａｒｄ  Ｄｉｓｋ  Ｄｒｉｖｅ））を備える。メディア・ゲートウェイ装置１０は、記憶装置に記憶されているプログラムをＣＰＵが実行することにより、後述する機能を実現するように構成されている。
【００３４】
メディア・ゲートウェイ制御装置２０は、呼制御を行うとともに、メディア・ゲートウェイ装置１０を制御する。
【００３５】
メディア・ゲートウェイ制御装置２０は、メディア・ゲートウェイ装置１０と同様に、図示しない中央処理装置、及び、記憶装置を備える。メディア・ゲートウェイ制御装置２０は、メディア・ゲートウェイ装置１０と同様に、記憶装置に記憶されているプログラムをＣＰＵが実行することにより、後述する機能を実現するように構成されている。
【００３６】
メディア・ゲートウェイ装置１０は、第１の通信プロトコルに従った通信を行うために用いられる第１の通信リソースと、第２の通信プロトコルに従った通信を行うために用いられる第２の通信リソースと、を備える。
【００３７】
本例では、第１の通信リソースは、第１の通信網ＮＷ１と接続された、物理的な通信ポート（物理ポート）と対応付けられた、仮想的な通信ポート（論理ポート）からなる。また、第２の通信リソースは、第２の通信網ＮＷ２と接続された物理ポートと対応付けられた論理ポートからなる。
【００３８】
また、メディア・ゲートウェイ装置１０とメディア・ゲートウェイ制御装置２０とは、通信可能に接続されている。メディア・ゲートウェイ装置１０とメディア・ゲートウェイ制御装置２０とは、Ｍｅｇａｃｏに従って通信を行うように構成されている。
【００３９】
（機能）
図２は、上記のように構成されたメディア・ゲートウェイ・システム１の機能を表すブロック図である。
メディア・ゲートウェイ装置１０の機能は、第２の通信リソース管理部（第２の通信リソース管理情報記憶手段、第２の通信リソース割当手段）１１を含む。
【００４０】
メディア・ゲートウェイ制御装置２０の機能は、発呼側制御部（発呼信号受信手段、ローカル通信リソース特定情報送信手段、リモート通信リソース特定情報受信手段）２１と、第１の通信リソース管理部（第１の通信リソース管理情報記憶手段、第１の通信リソース割当手段の一部）２２と、通信路制御部（第１の通信リソース割当手段の一部、第２の通信リソース割当要求手段、通信路設定要求送信手段）２３と、呼制御部２４と、を含む。
【００４１】
発呼側制御部２１は、第１の通信網ＮＷ１、又は、第２の通信網ＮＷ２を介して接続された端末装置（通信装置）との間で制御信号を送受信（送信及び受信）する。発呼側制御部２１は、通信（発呼対象通信）の開始を要求し且つ当該発呼対象通信に用いられる通信プロトコルを表す発呼信号（制御信号）を端末装置（発呼信号送信装置）から受信する。
【００４２】
本例では、発呼側制御部２１は、第１の通信網ＮＷ１に接続された端末装置から、発呼対象通信に用いられる通信プロトコルとしてのＡＴＭを表す発呼信号を受信する。また、発呼側制御部２１は、第２の通信網ＮＷ２に接続された端末装置から、発呼対象通信に用いられる通信プロトコルとしてのＲＴＰを表す発呼信号を受信する。
【００４３】
発呼側制御部２１は、発呼対象通信に割り当てられた通信リソースを特定するためのローカル通信リソース特定情報を、発呼信号を送信してきた発呼信号送信装置へ送信する。ローカル通信リソース特定情報は、発呼対象通信に割り当てられた通信リソースを特定するための情報である。本例では、通信リソースは、ＩＰアドレス及びポート番号により構成される。
【００４４】
更に、発呼側制御部２１は、発呼信号送信装置から、当該発呼信号送信装置が発呼対象通信を行うために用いる通信リソースを特定するためのリモート通信リソース特定情報を受信する。
【００４５】
第１の通信リソース管理部２２は、第１の通信リソースを管理するための第１の通信リソース管理情報を記憶する。第１の通信リソース管理情報は、第１の通信リソースを特定するための第１の通信リソース特定情報と、ＡＴＭに従った通信を特定するための通信特定情報と、を対応付けた情報である。
【００４６】
本例では、通信特定情報は、ＡＴＭセルに含まれる、ＶＰＩ（Ｖｉｒｔｕａｌ  Ｐａｔｈ  Ｉｄｅｎｔｉｆｉｅｒ）、及び、ＶＣＩ（Ｖｉｒｔｕａｌ  Ｃｈａｎｎｅｌ  Ｉｄｅｎｔｉｆｉｅｒ）を含む。
【００４７】
第１の通信リソース管理部２２は、発呼側制御部２１により受信された発呼信号が表す通信プロトコルが第１の通信プロトコルである場合、記憶されている第１の通信リソース管理情報に基づいて、発呼対象通信（発呼信号が開始を要求する通信）に、第１の通信リソースを割り当てる。
【００４８】
具体的には、第１の通信リソース管理部２２は、記憶されている第１の通信リソース管理情報に基づいて、いずれの通信に対しても割り当てられていない（未使用の）第１の通信リソースを特定し、特定された第１の通信リソースを上記発呼対象通信に割り当てる。第１の通信リソース管理部２２は、新たに割り当てた第１の通信リソースを特定するための第１の通信リソース特定情報と、発呼対象通信を特定するための通信特定情報と、を対応付けた第１の通信リソース管理情報を新たに記憶する。
【００４９】
通信路制御部２３は、発呼側制御部２１により受信された発呼信号が表す通信プロトコルが第１の通信プロトコルである場合、通信路設定要求をメディア・ゲートウェイ装置１０へ送信する。この通信路設定要求は、第１の通信リソース管理部２２により発呼対象通信に割り当てられた第１の通信リソースを特定するための第１の通信リソース特定情報を含み、且つ、当該発呼対象通信の通信路を確保するための設定を要求する旨を表す情報である。
【００５０】
本例では、この通信路設定要求は、Ｍｅｇａｃｏにおける、追加要求（Ａｄｄ  Ｒｅｑｕｅｓｔ）メッセージである。追加要求メッセージは、コンテキストにターミネーションを追加する旨を要求する情報である。ターミネーションは、通信を行う端点を表す情報である。コンテキストは、ある呼に対応付けられたターミネーションの集合を表す情報である。
【００５１】
ここでは、追加要求メッセージは、追加対象となるターミネーションが用いる通信プロトコルとしての「ＡＴＭ」を表す情報を含み、且つ、追加対象となるターミネーションのローカル通信リソース特定情報（発呼対象通信に割り当てられた第１の通信リソースを特定するための第１の通信リソース特定情報）を含む。
【００５２】
更に、通信路制御部２３は、上記追加要求メッセージに応じた追加要求応答（Ａｄｄ  Ｒｅｑｕｅｓｔ  Ｒｅｐｌｙ）メッセージをメディア・ゲートウェイ装置１０から受信する。この追加要求応答メッセージは、メディア・ゲートウェイ制御装置２０によって発呼対象通信に割り当てられた第１の通信リソースを特定するための第１の通信リソース特定情報をローカル通信リソース特定情報として含む。
【００５３】
一方、通信路制御部２３は、発呼側制御部２１により受信された発呼信号が表す通信プロトコルが第２の通信プロトコルである場合、発呼対象通信に第２の通信リソースを割り当てる旨をメディア・ゲートウェイ装置１０に要求する。
【００５４】
具体的には、通信路制御部２３は、発呼側制御部２１により受信された発呼信号が表す通信プロトコルが第２の通信プロトコルである場合、通信路設定要求をメディア・ゲートウェイ装置１０へ送信する。この通信路設定要求は、発呼対象通信に第２の通信リソースを割り当てる旨をメディア・ゲートウェイ装置１０に要求する旨を表す割当要求情報を含み、且つ、当該発呼対象通信の通信路を確保するための設定を要求する旨を表す情報である。
【００５５】
本例では、この通信路設定要求は、Ｍｅｇａｃｏにおける、追加要求（Ａｄｄ  Ｒｅｑｕｅｓｔ）メッセージである。ここでは、追加要求メッセージは、追加対象となるターミネーションが用いる通信プロトコルとしての「ＲＴＰ」を表す情報を含み、且つ、割当要求情報としての「ｃｈｏｏｓｅ」を表す情報を含む。
【００５６】
更に、通信路制御部２３は、上記追加要求メッセージに応じた追加要求応答（Ａｄｄ  Ｒｅｑｕｅｓｔ  Ｒｅｐｌｙ）メッセージをメディア・ゲートウェイ装置１０から受信する。この追加要求応答メッセージは、メディア・ゲートウェイ装置１０によって発呼対象通信に割り当てられた第２の通信リソースを特定するための第２の通信リソース特定情報をローカル通信リソース特定情報として含む。
【００５７】
また、通信路制御部２３は、発呼側制御部２１により受信されたリモート通信リソース特定情報を含み、且つ、発呼対象通信の通信路を確保するための設定を要求する旨を表す通信路設定要求をメディア・ゲートウェイ装置１０へ送信する。
【００５８】
本例では、この通信路設定要求は、Ｍｅｇａｃｏにおける、追加要求メッセージである。ここでは、追加要求メッセージは、追加対象となるターミネーションのリモート通信リソース特定情報として、発呼側制御部２１により受信されたリモート通信リソース特定情報を含む。
【００５９】
呼制御部２４は、任意の通信プロトコルに従って呼処理を実行する機能を有する。本例では、呼制御部２４は、ＳＩＰ（Ｓｅｓｓｉｏｎ  Ｉｎｉｔｉａｔｉｏｎ  Ｐｒｏｔｏｃｏｌ）に従って、第３の通信網ＮＷ３を介して接続された端末装置との間で通信セッションを確立する。
【００６０】
第２の通信リソース管理部１１は、第２の通信リソースを管理するための第２の通信リソース管理情報を記憶する。第２の通信リソース管理情報は、第２の通信リソースを特定するための第２の通信リソース特定情報を含む。
【００６１】
第２の通信リソース管理部１１は、割当要求情報を含む通信路設定要求をメディア・ゲートウェイ制御装置２０から受信した場合、記憶されている第２の通信リソース管理情報に基づいて、発呼対象通信（発呼信号が開始を要求する通信）に、第２の通信リソースを割り当てる。
【００６２】
具体的には、第２の通信リソース管理部１１は、記憶されている第２の通信リソース管理情報に基づいて、いずれの通信に対しても割り当てられていない（未使用の）第２の通信リソースを特定し、特定された第２の通信リソースを上記発呼対象通信に割り当てる。第２の通信リソース管理部１１は、新たに割り当てた第２の通信リソースを特定するための第２の通信リソース特定情報を含む第２の通信リソース管理情報を新たに記憶する。
【００６３】
更に、第２の通信リソース管理部１１は、発呼対象通信に新たに割り当てられた第２の通信リソースを特定するための第２の通信リソース特定情報を含む追加要求応答メッセージをメディア・ゲートウェイ制御装置２０へ送信する。
【００６４】
また、メディア・ゲートウェイ装置１０は、追加要求メッセージを受信した場合、受信した追加要求メッセージに含まれる情報に基づいて、コンテキストにターミネーションを追加する処理を実行する。その後、メディア・ゲートウェイ装置１０は、コンテキストに基づいて、発呼対象通信の通信路を確保（確立）するための処理を実行する。
【００６５】
（作動）
次に、上述したメディア・ゲートウェイ・システム１の作動について説明する。
先ず、第１の通信プロトコル（本例では、ＡＴＭ）に従った通信の開始が要求される場合から説明する。
【００６６】
この場合、図３に示したように、第１の通信網ＮＷ１に接続されている発呼信号送信装置ＵＥは、発呼信号を送信する（ステップＳ１０１）。
【００６７】
この場合、メディア・ゲートウェイ制御装置２０は、発呼対象通信に用いられる通信プロトコルとしてのＡＴＭを表す発呼信号を受信する。これにより、メディア・ゲートウェイ制御装置２０は、記憶されている第１の通信リソース管理情報に基づいて、発呼対象通信に、第１の通信リソースを割り当てる。
【００６８】
そして、メディア・ゲートウェイ制御装置２０は、追加要求メッセージをメディア・ゲートウェイ装置１０へ送信する（ステップＳ１０２）。この追加要求メッセージは、追加対象となるターミネーションが用いる通信プロトコルとしての「ＡＴＭ」を表す情報を含み、且つ、追加対象となるターミネーションのローカル通信リソース特定情報（発呼対象通信に割り当てられた第１の通信リソースを特定するための第１の通信リソース特定情報）を含む。
【００６９】
これにより、メディア・ゲートウェイ装置１０は、メディア・ゲートウェイ制御装置２０から追加要求メッセージを受信し、受信した追加要求メッセージに基づいて、コンテキストにターミネーションを追加する処理を実行する。その後、メディア・ゲートウェイ装置１０は、受信した追加要求メッセージに応じた追加要求応答メッセージをメディア・ゲートウェイ制御装置２０へ送信する（ステップＳ１０３）。この追加要求応答メッセージは、追加要求メッセージに含まれていたローカル通信リソース特定情報を含む。
【００７０】
これにより、メディア・ゲートウェイ制御装置２０は、送信した追加要求メッセージに応じた追加要求応答メッセージをメディア・ゲートウェイ装置１０から受信する。そして、メディア・ゲートウェイ制御装置２０は、受信した追加要求応答メッセージに含まれるローカル通信リソース特定情報を取得する（ステップＳ１０４）。
【００７１】
次いで、メディア・ゲートウェイ制御装置２０は、取得されたローカル通信リソース特定情報（即ち、発呼対象通信に割り当てられた通信リソースを特定するための通信リソース特定情報）を、発呼信号を送信してきた発呼信号送信装置ＵＥへ送信する（ステップＳ１０５）。
【００７２】
これにより、発呼信号送信装置ＵＥは、メディア・ゲートウェイ制御装置２０からローカル通信リソース特定情報を受信する。そして、発呼信号送信装置ＵＥは、発呼信号送信装置ＵＥが、発呼対象通信を行うために用いる通信リソースを特定するためのリモート通信リソース特定情報をメディア・ゲートウェイ制御装置２０へ送信する（ステップＳ１０６）。
【００７３】
これにより、メディア・ゲートウェイ制御装置２０は、発呼信号送信装置ＵＥからリモート通信リソース特定情報を受信する。そして、メディア・ゲートウェイ制御装置２０は、追加要求メッセージをメディア・ゲートウェイ装置１０へ送信する（ステップＳ１０７）。この追加要求メッセージは、追加対象となるターミネーションが用いる通信プロトコルとしての「ＡＴＭ」を表す情報を含み、且つ、追加対象となるターミネーションのリモート通信リソース特定情報として、発呼側制御部２１から受信したリモート通信リソース特定情報を含む。
【００７４】
これにより、メディア・ゲートウェイ装置１０は、メディア・ゲートウェイ制御装置２０から追加要求メッセージを受信し、受信した追加要求メッセージに基づいて、コンテキストにターミネーションを追加する処理を実行する。その後、メディア・ゲートウェイ装置１０は、受信した追加要求メッセージに応じた追加要求応答メッセージをメディア・ゲートウェイ制御装置２０へ送信する（ステップＳ１０８）。この追加要求応答メッセージは、追加要求メッセージに含まれていたリモート通信リソース特定情報を含む。
【００７５】
その後、メディア・ゲートウェイ装置１０は、コンテキストに基づいて、第１の通信プロトコル（本例では、ＡＴＭ）に従った発呼対象通信の通信路を確保（確立）するための処理を実行する（ステップＳ１０９）。
【００７６】
次に、第２の通信プロトコル（本例では、ＲＴＰ）に従った通信の開始が要求される場合について説明する。
【００７７】
この場合、図３に示したように、第２の通信網ＮＷ２に接続されている発呼信号送信装置ＵＥは、発呼信号を送信する（ステップＳ１０１）。
【００７８】
この場合、メディア・ゲートウェイ制御装置２０は、発呼対象通信に用いられる通信プロトコルとしてのＲＴＰを表す発呼信号を受信する。そして、メディア・ゲートウェイ制御装置２０は、追加要求メッセージをメディア・ゲートウェイ装置１０へ送信する（ステップＳ１０２）。
【００７９】
この追加要求メッセージは、追加対象となるターミネーションが用いる通信プロトコルとしての「ＲＴＰ」を表す情報を含み、且つ、割当要求情報としての「ｃｈｏｏｓｅ」を表す情報を含む。
【００８０】
これにより、メディア・ゲートウェイ装置１０は、メディア・ゲートウェイ制御装置２０から追加要求メッセージを受信し、受信した追加要求メッセージと、記憶されている第２の通信リソース管理情報と、に基づいて、発呼対象通信に第２の通信リソースを割り当てる。
【００８１】
そして、メディア・ゲートウェイ装置１０は、受信した追加要求メッセージと、発呼対象通信に新たに割り当てられた第２の通信リソースを特定するための第２の通信リソース特定情報と、に基づいて、コンテキストにターミネーションを追加する処理を実行する。その後、メディア・ゲートウェイ装置１０は、追加要求応答メッセージをメディア・ゲートウェイ制御装置２０へ送信する（ステップＳ１０３）。この追加要求応答メッセージは、呼対象通信に新たに割り当てられた第２の通信リソースを特定するための第２の通信リソース特定情報をローカル通信リソース特定情報として含む。
【００８２】
これにより、メディア・ゲートウェイ制御装置２０は、送信した追加要求メッセージに応じた追加要求応答メッセージをメディア・ゲートウェイ装置１０から受信する。そして、メディア・ゲートウェイ制御装置２０は、受信した追加要求応答メッセージに含まれるローカル通信リソース特定情報を取得する（ステップＳ１０４）。
【００８３】
次いで、メディア・ゲートウェイ制御装置２０は、取得されたローカル通信リソース特定情報（即ち、発呼対象通信に割り当てられた通信リソースを特定するための通信リソース特定情報）を、発呼信号を送信してきた発呼信号送信装置ＵＥへ送信する（ステップＳ１０５）。
【００８４】
これにより、発呼信号送信装置ＵＥは、メディア・ゲートウェイ制御装置２０からローカル通信リソース特定情報を受信する。そして、発呼信号送信装置ＵＥは、発呼信号送信装置ＵＥが、発呼対象通信を行うために用いる通信リソースを特定するためのリモート通信リソース特定情報をメディア・ゲートウェイ制御装置２０へ送信する（ステップＳ１０６）。
【００８５】
これにより、メディア・ゲートウェイ制御装置２０は、発呼信号送信装置ＵＥからリモート通信リソース特定情報を受信する。そして、メディア・ゲートウェイ制御装置２０は、追加要求メッセージをメディア・ゲートウェイ装置１０へ送信する（ステップＳ１０７）。この追加要求メッセージは、追加対象となるターミネーションが用いる通信プロトコルとしての「ＲＴＰ」を表す情報を含み、且つ、追加対象となるターミネーションのリモート通信リソース特定情報として、発呼側制御部２１から受信したリモート通信リソース特定情報を含む。
【００８６】
これにより、メディア・ゲートウェイ装置１０は、メディア・ゲートウェイ制御装置２０から追加要求メッセージを受信し、受信した追加要求メッセージに基づいて、コンテキストにターミネーションを追加する処理を実行する。その後、メディア・ゲートウェイ装置１０は、受信した追加要求メッセージに応じた追加要求応答メッセージをメディア・ゲートウェイ制御装置２０へ送信する（ステップＳ１０８）。この追加要求応答メッセージは、追加要求メッセージに含まれていたリモート通信リソース特定情報を含む。
【００８７】
その後、メディア・ゲートウェイ装置１０は、コンテキストに基づいて、第２の通信プロトコル（本例では、ＲＴＰ）に従った発呼対象通信の通信路を確保（確立）するための処理を実行する（ステップＳ１０９）。
【００８８】
このように、第１の通信プロトコル（本例では、ＡＴＭ）に従った通信の開始を要求する発呼信号を受信した場合、メディア・ゲートウェイ制御装置２０は、発呼対象通信に第１の通信リソースを割り当てる。その後、メディア・ゲートウェイ制御装置２０は、新たに割り当てた第１の通信リソースを特定するためのローカル通信リソース特定情報を含む追加要求メッセージをメディア・ゲートウェイ装置１０へ送信する。この追加要求メッセージは、追加対象となるターミネーションが用いる通信プロトコルとしての「ＡＴＭ」を表す情報を含む。
【００８９】
一方、第２の通信プロトコル（本例では、ＲＴＰ）に従った通信の開始を要求する発呼信号を受信した場合、メディア・ゲートウェイ制御装置２０は、発呼対象通信に通信リソースを割り当てることなく、割当要求情報を含む追加要求メッセージをメディア・ゲートウェイ装置１０へ送信する。この追加要求メッセージは、追加対象となるターミネーションが用いる通信プロトコルとしての「ＲＴＰ」を表す情報を含む。そして、メディア・ゲートウェイ装置１０は、発呼対象通信に第２の通信リソースを割り当てる。
【００９０】
このように、メディア・ゲートウェイ制御装置２０は、第１の通信プロトコルの場合と、第２の通信プロトコルの場合と、で異なる追加要求メッセージをメディア・ゲートウェイ装置１０へ送信する。これにより、第１の通信プロトコルと第２の通信プロトコルとのいずれに対しても、適切に通信リソースを割り当てることができる。
【００９１】
以上、説明したように、本発明の第１実施形態に係るメディア・ゲートウェイ・システム１によれば、通信リソースがメディア・ゲートウェイ装置１０により管理されている第１の通信プロトコルと、通信リソースがメディア・ゲートウェイ制御装置２０により管理されている第２の通信プロトコルと、のいずれに対しても、適切に通信リソースを割り当てることができる。この結果、上記第１の通信プロトコル、及び、上記第２の通信プロトコル、のいずれに対しても、通信路を確保するための処理を適切に実行することができる。
【００９２】
なお、第１実施形態の変形例に係るメディア・ゲートウェイ・システム１は、ローカル通信リソース特定情報よりも、リモート通信リソース特定情報を先に取得するように構成されていてもよい。具体的には、このメディア・ゲートウェイ・システム１は、図３のステップＳ１０６〜ステップＳ１０８の処理を、ステップＳ１０２〜ステップＳ１０５の処理よりも先に実行する。
【００９３】
＜第２実施形態＞
次に、本発明の第２実施形態に係るメディア・ゲートウェイ・システムについて図４を参照しながら説明する。
第２実施形態に係るメディア・ゲートウェイ・システム１００は、
異なる通信プロトコルに従った複数の通信網間のデータの通信を中継するメディア・ゲートウェイ装置１１０と、
呼制御を行うとともに、メディア・ゲートウェイ装置１１０を制御するメディア・ゲートウェイ制御装置１２０と、を備えるシステムである。
【００９４】
更に、メディア・ゲートウェイ装置１１０は、第１の通信プロトコルに従った通信を行うために用いられる第１の通信リソースと、第２の通信プロトコルに従った通信を行うために用いられる第２の通信リソースと、を備える。
加えて、メディア・ゲートウェイ制御装置１２０は、上記第１の通信リソースを管理するための第１の通信リソース管理情報を記憶する第１の通信リソース管理情報記憶部（第１の通信リソース管理情報記憶手段）１２１を備える。
更に、メディア・ゲートウェイ装置１１０は、上記第２の通信リソースを管理するための第２の通信リソース管理情報を記憶する第２の通信リソース管理情報記憶部（第２の通信リソース管理情報記憶手段）１１１を備える。
【００９５】
加えて、メディア・ゲートウェイ制御装置１２０は、
通信の開始を要求し且つ当該通信に用いられる通信プロトコルを表す発呼信号を受信する発呼信号受信部（発呼信号受信手段）１２２と、
上記受信された発呼信号が表す通信プロトコルが上記第１の通信プロトコルである場合、上記記憶されている第１の通信リソース管理情報に基づいて、当該発呼信号が開始を要求する通信である発呼対象通信に、上記第１の通信リソースを割り当てる第１の通信リソース割当部（第１の通信リソース割当手段）１２３と、
上記受信された発呼信号が表す通信プロトコルが上記第２の通信プロトコルである場合、上記発呼対象通信に上記第２の通信リソースを割り当てる旨をメディア・ゲートウェイ装置１１０に要求する第２の通信リソース割当要求部（第２の通信リソース割当要求手段）１２４と、
を備える。
【００９６】
更に、メディア・ゲートウェイ装置１１０は、
メディア・ゲートウェイ制御装置１２０により上記第２の通信リソースの割り当てを要求された場合、上記記憶されている第２の通信リソース管理情報に基づいて、上記発呼対象通信に上記第２の通信リソースを割り当てる第２の通信リソース割当部（第２の通信リソース割当手段）１１２を備える。
【００９７】
これによれば、通信リソースがメディア・ゲートウェイ装置１１０により管理されている第１の通信プロトコルと、通信リソースがメディア・ゲートウェイ制御装置１２０により管理されている第２の通信プロトコルと、のいずれに対しても、適切に通信リソースを割り当てることができる。この結果、上記第１の通信プロトコル、及び、上記第２の通信プロトコル、のいずれに対しても、通信路を確保するための処理を適切に実行することができる。
【００９８】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００９９】
なお、上記各実施形態においてメディア・ゲートウェイ・システム１の各機能は、ＣＰＵがプログラム（ソフトウェア）を実行することにより実現されていたが、回路等のハードウェアにより実現されていてもよい。
【０１００】
また、上記各実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１０１】
また、上記実施形態の他の変形例として、上述した実施形態及び変形例の任意の組み合わせが採用されてもよい。
【０１０２】
＜付記＞
上記実施形態の一部又は全部は、以下の付記のように記載され得るが、以下には限られない。
【０１０３】
（付記１）
異なる通信プロトコルに従った複数の通信網間のデータの通信を中継するメディア・ゲートウェイ装置と、
呼制御を行うとともに、前記メディア・ゲートウェイ装置を制御するメディア・ゲートウェイ制御装置と、
を備えるメディア・ゲートウェイ・システムであって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御装置は、前記第１の通信リソースを管理するための第１の通信リソース管理情報を記憶する第１の通信リソース管理情報記憶手段を備え、
前記メディア・ゲートウェイ装置は、前記第２の通信リソースを管理するための第２の通信リソース管理情報を記憶する第２の通信リソース管理情報記憶手段を備え、
前記メディア・ゲートウェイ制御装置は、
通信の開始を要求し且つ当該通信に用いられる通信プロトコルを表す発呼信号を受信する発呼信号受信手段と、
前記受信された発呼信号が表す通信プロトコルが前記第１の通信プロトコルである場合、前記記憶されている第１の通信リソース管理情報に基づいて、当該発呼信号が開始を要求する通信である発呼対象通信に、前記第１の通信リソースを割り当てる第１の通信リソース割当手段と、
前記受信された発呼信号が表す通信プロトコルが前記第２の通信プロトコルである場合、前記発呼対象通信に前記第２の通信リソースを割り当てる旨を前記メディア・ゲートウェイ装置に要求する第２の通信リソース割当要求手段と、
を備え、
前記メディア・ゲートウェイ装置は、
前記メディア・ゲートウェイ制御装置により前記第２の通信リソースの割り当てを要求された場合、前記記憶されている第２の通信リソース管理情報に基づいて、前記発呼対象通信に前記第２の通信リソースを割り当てる第２の通信リソース割当手段を備えるメディア・ゲートウェイ・システム。
【０１０４】
これによれば、通信リソースがメディア・ゲートウェイ装置により管理されている第１の通信プロトコルと、通信リソースがメディア・ゲートウェイ制御装置により管理されている第２の通信プロトコルと、のいずれに対しても、適切に通信リソースを割り当てることができる。この結果、上記第１の通信プロトコル、及び、上記第２の通信プロトコル、のいずれに対しても、通信路を確保するための処理を適切に実行することができる。
【０１０５】
（付記２）
付記１に記載のメディア・ゲートウェイ・システムであって、
前記第１の通信リソース割当手段は、
前記受信された発呼信号が表す通信プロトコルが前記第１の通信プロトコルである場合、前記発呼対象通信に割り当てられた前記第１の通信リソースを特定するための第１の通信リソース特定情報を含み、且つ、当該発呼対象通信の通信路を確保するための設定を要求する旨を表す通信路設定要求を前記メディア・ゲートウェイ装置へ送信するように構成され、
前記第２の通信リソース割当要求手段は、
前記受信された発呼信号が表す通信プロトコルが前記第２の通信プロトコルである場合、前記発呼対象通信に前記第２の通信リソースを割り当てる旨を前記メディア・ゲートウェイ装置に要求する旨を表す割当要求情報を含み、且つ、当該発呼対象通信の通信路を確保するための設定を要求する旨を表す通信路設定要求を前記メディア・ゲートウェイ装置へ送信するように構成され、
前記第２の通信リソース割当手段は、
前記通信路設定要求を受信し、当該受信された通信路設定要求に前記割当要求情報が含まれている場合、前記記憶されている第２の通信リソース管理情報に基づいて、前記発呼対象通信に前記第２の通信リソースを割り当てるとともに、当該割り当てられた第２の通信リソースを特定するための第２の通信リソース特定情報を前記メディア・ゲートウェイ制御装置へ送信するように構成されたメディア・ゲートウェイ・システム。
【０１０６】
（付記３）
付記１又は付記２に記載のメディア・ゲートウェイ・システムであって、
前記メディア・ゲートウェイ制御装置は、
前記発呼対象通信に割り当てられた通信リソースを特定するためのローカル通信リソース特定情報を、当該発呼対象通信に係る前記発呼信号を送信してきた通信装置である発呼信号送信装置へ送信するローカル通信リソース特定情報送信手段と、
前記発呼信号送信装置から、当該発呼信号送信装置が前記発呼対象通信を行うために用いる通信リソースを特定するためのリモート通信リソース特定情報を受信するリモート通信リソース特定情報受信手段と、
前記受信されたリモート通信リソース特定情報を含み、且つ、前記発呼対象通信の通信路を確保するための設定を要求する旨を表す通信路設定要求を前記メディア・ゲートウェイ装置へ送信する通信路設定要求送信手段と、
を備えるメディア・ゲートウェイ・システム。
【０１０７】
（付記４）
付記１乃至付記３のいずれか一項に記載のメディア・ゲートウェイ・システムであって、
前記第１の通信プロトコルは、ＡＴＭ（Ａｓｙｎｃｈｒｏｎｏｕｓ  Ｔｒａｎｓｆｅｒ  Ｍｏｄｅ）であり、
前記第２の通信プロトコルは、ＲＴＰ（Ｒｅａｌ−ｔｉｍｅ  Ｔｒａｎｓｐｏｒｔ  Ｐｒｏｔｏｃｏｌ）であるメディア・ゲートウェイ・システム。
【０１０８】
（付記５）
付記１乃至付記４のいずれか一項に記載のメディア・ゲートウェイ・システムであって、
前記メディア・ゲートウェイ装置と、前記メディア・ゲートウェイ制御装置と、の間の通信は、Ｍｅｇａｃｏに従った通信であるメディア・ゲートウェイ・システム。
【０１０９】
（付記６）
異なる通信プロトコルに従った複数の通信網間のデータの通信を中継するメディア・ゲートウェイ装置と、
呼制御を行うとともに、前記メディア・ゲートウェイ装置を制御するメディア・ゲートウェイ制御装置と、
を備えるメディア・ゲートウェイ・システムに適用されるメディア・ゲートウェイ制御方法であって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御装置が、前記第１の通信リソースを管理するための第１の通信リソース管理情報を記憶し、
前記メディア・ゲートウェイ装置が、前記第２の通信リソースを管理するための第２の通信リソース管理情報を記憶し、
前記メディア・ゲートウェイ制御装置が、通信の開始を要求し且つ当該通信に用いられる通信プロトコルを表す発呼信号を受信し、
前記受信された発呼信号が表す通信プロトコルが前記第１の通信プロトコルである場合、前記メディア・ゲートウェイ制御装置が、前記記憶されている第１の通信リソース管理情報に基づいて、当該発呼信号が開始を要求する通信である発呼対象通信に、前記第１の通信リソースを割り当て、
前記受信された発呼信号が表す通信プロトコルが前記第２の通信プロトコルである場合、前記メディア・ゲートウェイ制御装置が、前記発呼対象通信に前記第２の通信リソースを割り当てる旨を前記メディア・ゲートウェイ装置に要求し、
前記メディア・ゲートウェイ制御装置により前記第２の通信リソースの割り当てを要求された場合、前記メディア・ゲートウェイ装置が、前記記憶されている第２の通信リソース管理情報に基づいて、前記発呼対象通信に前記第２の通信リソースを割り当てる、メディア・ゲートウェイ制御方法。
【０１１０】
（付記７）
付記６に記載のメディア・ゲートウェイ制御方法であって、
前記受信された発呼信号が表す通信プロトコルが前記第１の通信プロトコルである場合、前記メディア・ゲートウェイ制御装置が、前記発呼対象通信に割り当てられた前記第１の通信リソースを特定するための第１の通信リソース特定情報を含み、且つ、当該発呼対象通信の通信路を確保するための設定を要求する旨を表す通信路設定要求を前記メディア・ゲートウェイ装置へ送信し、
前記受信された発呼信号が表す通信プロトコルが前記第２の通信プロトコルである場合、前記メディア・ゲートウェイ制御装置が、前記発呼対象通信に前記第２の通信リソースを割り当てる旨を前記メディア・ゲートウェイ装置に要求する旨を表す割当要求情報を含み、且つ、当該発呼対象通信の通信路を確保するための設定を要求する旨を表す通信路設定要求を前記メディア・ゲートウェイ装置へ送信し、
前記メディア・ゲートウェイ装置が前記通信路設定要求を受信し、
前記受信された通信路設定要求に前記割当要求情報が含まれている場合、前記メディア・ゲートウェイ装置が、前記記憶されている第２の通信リソース管理情報に基づいて、前記発呼対象通信に前記第２の通信リソースを割り当てるとともに、当該割り当てられた第２の通信リソースを特定するための第２の通信リソース特定情報を前記メディア・ゲートウェイ制御装置へ送信する、メディア・ゲートウェイ制御方法。
【０１１１】
（付記８）
呼制御を行うとともに、異なる通信プロトコルに従った複数の通信網間のデータの通信を中継するメディア・ゲートウェイ装置を制御するメディア・ゲートウェイ制御装置であって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御装置は、
前記第１の通信リソースを管理するための第１の通信リソース管理情報を記憶する第１の通信リソース管理情報記憶手段と、
通信の開始を要求し且つ当該通信に用いられる通信プロトコルを表す発呼信号を受信する発呼信号受信手段と、
前記受信された発呼信号が表す通信プロトコルが前記第１の通信プロトコルである場合、前記記憶されている第１の通信リソース管理情報に基づいて、当該発呼信号が開始を要求する通信である発呼対象通信に、前記第１の通信リソースを割り当てる第１の通信リソース割当手段と、
前記受信された発呼信号が表す通信プロトコルが前記第２の通信プロトコルである場合、前記発呼対象通信に前記第２の通信リソースを割り当てる旨を前記メディア・ゲートウェイ装置に要求する第２の通信リソース割当要求手段と、
を備えるメディア・ゲートウェイ制御装置。
【０１１２】
（付記９）
付記８に記載のメディア・ゲートウェイ制御装置であって、
前記第１の通信リソース割当手段は、
前記受信された発呼信号が表す通信プロトコルが前記第１の通信プロトコルである場合、前記発呼対象通信に割り当てられた前記第１の通信リソースを特定するための第１の通信リソース特定情報を含み、且つ、当該発呼対象通信の通信路を確保するための設定を要求する旨を表す通信路設定要求を前記メディア・ゲートウェイ装置へ送信するように構成され、
前記第２の通信リソース割当要求手段は、
前記受信された発呼信号が表す通信プロトコルが前記第２の通信プロトコルである場合、前記発呼対象通信に前記第２の通信リソースを割り当てる旨を前記メディア・ゲートウェイ装置に要求する旨を表す割当要求情報を含み、且つ、当該発呼対象通信の通信路を確保するための設定を要求する旨を表す通信路設定要求を前記メディア・ゲートウェイ装置へ送信するように構成されたメディア・ゲートウェイ制御装置。
【０１１３】
（付記１０）
呼制御を行うとともに、異なる通信プロトコルに従った複数の通信網間のデータの通信を中継するメディア・ゲートウェイ装置を制御するメディア・ゲートウェイ制御装置に適用されるメディア・ゲートウェイ制御方法であって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御方法は、
前記メディア・ゲートウェイ制御装置が、前記第１の通信リソースを管理するための第１の通信リソース管理情報を記憶し、
前記メディア・ゲートウェイ制御装置が、通信の開始を要求し且つ当該通信に用いられる通信プロトコルを表す発呼信号を受信し、
前記受信された発呼信号が表す通信プロトコルが前記第１の通信プロトコルである場合、前記メディア・ゲートウェイ制御装置が、前記記憶されている第１の通信リソース管理情報に基づいて、当該発呼信号が開始を要求する通信である発呼対象通信に、前記第１の通信リソースを割り当て、
前記受信された発呼信号が表す通信プロトコルが前記第２の通信プロトコルである場合、前記メディア・ゲートウェイ制御装置が、前記発呼対象通信に前記第２の通信リソースを割り当てる旨を前記メディア・ゲートウェイ装置に要求する、メディア・ゲートウェイ制御方法。
【０１１４】
（付記１１）
付記１０に記載のメディア・ゲートウェイ制御方法であって、
前記受信された発呼信号が表す通信プロトコルが前記第１の通信プロトコルである場合、前記メディア・ゲートウェイ制御装置が、前記発呼対象通信に割り当てられた前記第１の通信リソースを特定するための第１の通信リソース特定情報を含み、且つ、当該発呼対象通信の通信路を確保するための設定を要求する旨を表す通信路設定要求を前記メディア・ゲートウェイ装置へ送信し、
前記受信された発呼信号が表す通信プロトコルが前記第２の通信プロトコルである場合、前記メディア・ゲートウェイ制御装置が、前記発呼対象通信に前記第２の通信リソースを割り当てる旨を前記メディア・ゲートウェイ装置に要求する旨を表す割当要求情報を含み、且つ、当該発呼対象通信の通信路を確保するための設定を要求する旨を表す通信路設定要求を前記メディア・ゲートウェイ装置へ送信する、メディア・ゲートウェイ制御方法。
【０１１５】
（付記１２）
呼制御を行うとともに、異なる通信プロトコルに従った複数の通信網間のデータの通信を中継するメディア・ゲートウェイ装置を制御するメディア・ゲートウェイ制御装置が実行するメディア・ゲートウェイ制御プログラムであって、
前記メディア・ゲートウェイ装置は、第１の通信プロトコルに従った通信を行うために用いられる第１の通信リソースと、第２の通信プロトコルに従った通信を行うために用いられる第２の通信リソースと、を備え、
前記メディア・ゲートウェイ制御プログラムは、前記メディア・ゲートウェイ制御装置に、
前記第１の通信リソースを管理するための第１の通信リソース管理情報を記憶する第１の通信リソース管理情報記憶手段と、
通信の開始を要求し且つ当該通信に用いられる通信プロトコルを表す発呼信号を受信する発呼信号受信手段と、
前記受信された発呼信号が表す通信プロトコルが前記第１の通信プロトコルである場合、前記記憶されている第１の通信リソース管理情報に基づいて、当該発呼信号が開始を要求する通信である発呼対象通信に、前記第１の通信リソースを割り当てる第１の通信リソース割当手段と、
前記受信された発呼信号が表す通信プロトコルが前記第２の通信プロトコルである場合、前記発呼対象通信に前記第２の通信リソースを割り当てる旨を前記メディア・ゲートウェイ装置に要求する第２の通信リソース割当要求手段と、
を実現させるためのメディア・ゲートウェイ制御プログラム。
【０１１６】
（付記１３）
付記１２に記載のメディア・ゲートウェイ制御プログラムであって、
前記第１の通信リソース割当手段は、
前記受信された発呼信号が表す通信プロトコルが前記第１の通信プロトコルである場合、前記発呼対象通信に割り当てられた前記第１の通信リソースを特定するための第１の通信リソース特定情報を含み、且つ、当該発呼対象通信の通信路を確保するための設定を要求する旨を表す通信路設定要求を前記メディア・ゲートウェイ装置へ送信するように構成され、
前記第２の通信リソース割当要求手段は、
前記受信された発呼信号が表す通信プロトコルが前記第２の通信プロトコルである場合、前記発呼対象通信に前記第２の通信リソースを割り当てる旨を前記メディア・ゲートウェイ装置に要求する旨を表す割当要求情報を含み、且つ、当該発呼対象通信の通信路を確保するための設定を要求する旨を表す通信路設定要求を前記メディア・ゲートウェイ装置へ送信するように構成されたメディア・ゲートウェイ制御プログラム。
【産業上の利用可能性】
【０１１７】
本発明は、異なる通信プロトコルに従った複数の通信網間のデータの通信を中継するメディア・ゲートウェイ・システム等に適用可能である。
【符号の説明】
【０１１８】
１      メディア・ゲートウェイ・システム
１０    メディア・ゲートウェイ装置
１１    第２の通信リソース管理部
２０    メディア・ゲートウェイ制御装置
２１    発呼側制御部
２２    第１の通信リソース管理部
２３    通信路制御部
２４    呼制御部
３１    基地局装置
３２    サーバ装置
３３    メディア・ゲートウェイ・システム
１００  メディア・ゲートウェイ・システム
１１０  メディア・ゲートウェイ装置
１１１  第２の通信リソース管理情報記憶部
１１２  第２の通信リソース割当部
１２０  メディア・ゲートウェイ制御装置
１２１  第１の通信リソース管理情報記憶部
１２２  発呼信号受信部
１２３  第１の通信リソース割当部
１２４  第２の通信リソース割当要求部
ＮＷ１  第１の通信網
ＮＷ２  第２の通信網
ＮＷ３  第３の通信網
ＵＥ    発呼信号送信装置
【図１】
0005516271.tif 000002
【図２】
0005516271.tif 000003
【図３】
0005516271.tif 000004
【図４】
0005516271.tif 000005